(57)【特許請求の範囲】
【請求項１】
折帖の大半を支えるテーブルと該テーブルから突出した前記折帖の先端縁を僅かに引っ掛け下方に引っ張り力を受けたときに取り出し可能に支持するフック部とを備え、前記テーブルとフック部との間に積み重ねられてストックされた折帖を下から水平な回動軸を中心に回動自在な吸着部材によって引き下げて入紙掛機械へ供給するフィーダーにおいて、前記テーブルは前記フック部に向けて下向きに傾斜すると共に、前記折帖の両側部の製本後に裁断される被裁断部分を前記テーブルの面よりも高い位置に持ち上げる突起を備えることを特徴とするフィーダー。
【請求項２】
前記テーブルの前端縁は前記テーブル面と前記フック部とを結ぶ面よりも下に湾曲したコーナ部を有することを特徴とする請求項１記載のフィーダー。
【請求項３】
前記コーナ部は前記吸着部材の回動軸より後方に設けられていることを特徴とする請求項２記載のフィーダー。
【請求項４】
前記突起は前記コーナ部よりも先端側に突出していることを特徴とする請求項２または３記載のフィーダー。
【請求項５】
前記テーブルは、前端縁の両側に下方を向く突部を備えていることを特徴とする請求項１から４のいずれかに記載のフィーダー。
【請求項６】
折帖の大半を支えるテーブルと該テーブルから突出した前記折帖の先端縁を僅かに引っ掛け下方に引っ張り力を受けたときに取り出し可能に支持するフック部とを備え、前記テーブルとフック部との間に積み重ねられてストックされた折帖を下から入紙掛機械へ供給するフィーダーに使用する治具において、前記フィーダーの前記テーブルに載置されて前記フック部に向けて下向きに傾斜するテーブル面を形成するテーブル部材と、前記折帖の両側部の製本後に裁断される被裁断部分を前記テーブル面よりも高い位置に持ち上げる突起とを備えることを特徴とするフィーダー治具。
【発明の詳細な説明】
【０００１】
【発明の属する技術分野】
本発明は、積み重ねるようにストックされた折帖を入紙掛機械へ供給するフィーダーおよびこのフィーダーで使用される治具に関する。さらに詳述すると、本発明はストックされた折帖の取り出しの際に発生するインク汚れの位置を特定の場所に限定するためのフィーダーの構造の改良に関する。
【０００２】
【従来の技術】
中綴製本装置は、例えば図７に示すように、積み重ねるようにストックされた折帖１０１を１部ずつ下から入紙掛機械１０３へ供給するフィーダー１０２と、該フィーダー１０２から折帖１０１を取り出し開いてから搬送用のチェーン１０４上に鞍掛け状に落とす入紙掛機械１０３と、複数のフィーダー１０２と入紙掛機械１０３下を移動して複数種の折帖１０１を順次鞍掛け状に重ねてから搬送する折帖搬送用チェーン１０４と、該チェーン１０４に沿って往復動しながら重ねられた折帖１０１の中折れ部分を中綴する針金綴機１０５と、針金綴機１０５により中綴し完了した本の三方即ち天地の両端と小口とを裁断する三方裁断機１０６などによって構成されている。
【０００３】
この中綴製本装置におけるフィーダー１０２は、図８に示すように水平なテーブル１１２の上に折帖１０１の大半例えば３／４（４分の３）程度を載せて支えさせると共にテーブル１１２から突出した折帖１０１の先端縁をフック部１１３で僅かに引っ掛けるようにして支え、折帖１０１のテーブル１１２から突出した部分を下方から吸着部材１０９で吸着して引っ張り入紙掛機械１０３へ供給する。入紙掛機械１０３では、ドラム１０７と押え爪１１０との間で押え爪１０１の先端を挟持して、ドラム１０７の回転に伴って折帖１０１をフィーダー１０２から抜き取る。更に入紙掛機械１０３は、折帖１０１を解放ローラ１０８を利用して開いてから入紙掛機械１０３の真下を移動する搬送チェーン１０４の入紙位置決め部にタイミングを合わせて落とし鞍掛け状に入紙させる。
【０００４】
このようにして積み重ねられるようにストックされた折帖１０１を下から１部ずつ引き出すことによって、折帖１０１を入紙掛機械１０３へ送り出す。
【０００５】
【発明が解決しようとする課題】
しかしながら、このように積み重ねられた折帖１０１の束の下から折帖１０１を１部ずつ引き出す供給方式の場合、引き出される折帖１０１とその上に積まれた多数の折帖１０１とが擦れ合い、印刷面が汚れてしまうという問題がある。特に、図８に示すように、テーブル１１２の前端縁となる吸着部材１０９のシャフト１１４部分で折れ曲がりながら抜き取られる折帖１０１の折り曲げ角がきつくなって抵抗が大きくなるため、フィーダー１０２に折帖１０１を多く積み重ねた場合は荷重Ｆが増えて汚れの度合いが大きくなりやすい。したがって、印刷面の汚れを防止するには一度に多くの折帖１０１を積み重ねずに少しずつ補充することが要求されている。しかし、そうすると作業者が各フィーダー１０２毎に常時待機して折帖１０１を絶えず補充せざるを得なくなり、人手を要する結果コスト高となってしまう。
【０００６】
そこで、本発明は、多くの折帖を積み重ねても印刷面の汚れを防止できるフィーダーおよびこのフィーダーに使用する治具を提供することを目的とする。
【０００７】
【課題を解決するための手段】
かかる目的を達成するため、本願発明者は種々の検討をした結果、折帖の両サイドには製本後に裁断されて取り除かれる被裁断部分が存在することに着目し、この被裁断部分のみ汚れるようにすれば裁断されない他の印刷面が汚れるのを防ぎ得ることを知見するに至った。請求項１記載の発明はかかる知見に基づくもので、折帖の大半を支えるテーブルと該テーブルから突出した折帖の先端縁を僅かに引っ掛け下方に引っ張り力を受けたときに取り出し可能に支持するフック部とを備え、テーブルとフック部との間に積み重ねられてストックされた折帖を下から水平な回動軸を中心に回動自在な吸着部材によって引き下げて入紙掛機械へ供給するフィーダーにおいて、テーブルはフック部に向けて下向きに傾斜すると共に、折帖の両側部の製本後に裁断される被裁断部分をテーブルの面よりも高い位置に持ち上げる突起を備えるようにしている。
【０００８】
このフィーダーによると、折帖の両側を持ち上げ支持する突起が、積み重ねた折帖の荷重の一部を受け支える。そして、折帖を多数テーブル上に積み重ねた場合、突起が、折帖の両側部を支持して中央部にかかる荷重を軽くするように作用するので、最下層の折帖とその上に位置する最下層から２枚目の折帖との間に隙間が空き、あるいは隙間が空かなくても互いの折帖の間における接触摩擦が大きく軽減する。
【０００９】
したがって、積み重ねた折帖の中から最下層のものを引き出す場合、この折帖とその上の下から２枚目の折帖との間では、引き出しても印刷面が触れ合わないか、または印刷面が汚れない程度の軽い摩擦となる。一方、折帖の両側部分では突起による支持圧力が大きく、摩擦が大きくなるので印刷面に汚れが生じ得るが、突起によって支えるのは製本後に裁断される被裁断部分であるため実際に問題となるような影響が生じ得ない。このため、被裁断部分以外の印刷面を保護した状態で最下層の折帖を引き出すことが可能となる。
【００１０】
加えて、折帖の供給方向へ向けテーブルを傾斜させたので、折帖の引き出し時の折れ曲がり角が緩やかになって摩擦抵抗が軽減されると共に、傾斜に伴いテーブル面に沿って折帖の引き出し方向に分力が生じ、支持荷重のテーブル面に垂直な方向の分力が少なくなる。したがって、傾斜していない場合に比べて印刷面の摩擦力が小さくなり、最下層の折帖が自然重量によって引き出しやすくなって引き出し時の汚れがより少なくなる。
【００１１】
さらに、請求項２記載の発明は、請求項１記載のフィーダーにおいて、テーブルの前端縁はテーブル面とフック部とを結ぶ面よりも下に湾曲したコーナ部を有するようにしている。このコーナ部は、折帖をコーナ部に沿わせることでテーブル前端縁における折帖の曲率を小さくして折り曲げ角を緩やかとし、接触圧を分散させる。また、前端縁における折帖印刷面との接触領域が広くなるので接触圧が分散する。したがって、折帖の引き出し抵抗を少なくして滑りをなめらかにし、印刷面の汚れをさらに少なくすることが可能となる。
【００１２】
また、請求項３記載の発明は、請求項２記載のフィーダーにおいて、コーナ部は吸着部材の回動軸より後方に設けられている。この場合、吸着部材によって引き下げられた折帖の曲がり始まる部分が基端側にシフトするので、折帖の湾曲し得る部分が増えて曲率が小さくなる。したがって、腰が強く曲がりにくい折帖を供給するような場合であっても、このような折帖を吸着部材で吸着した状態を維持し引き下げることができる。
【００１３】
また、上述の突起は、請求項４記載の発明のようにコーナ部よりも先端側に突出していることが好ましい。この場合、突起によって折帖の両側をコーナ部のさらに先端側まで持ち上げ支持し、折帖の印刷面の汚れをより効果的に防止することが可能となる。
【００１４】
さらに、請求項５記載の発明は、請求項１から４のいずれかに記載のフィーダーにおいて、テーブルは、前端縁の両側に下方を向く突部を備えたものである。この場合、テーブルは引き出される折帖から下向きに力を受けて中央が下向きに凸となるように撓むことが可能となり、引き出される最下層の折帖の印刷面の汚れをさらに軽減させる。
【００１５】
また、請求項６記載の発明は、折帖の大半を支えるテーブルと該テーブルから突出した折帖の先端縁を僅かに引っ掛け下方に引っ張り力を受けたときに取り出し可能に支持するフック部とを備え、テーブルとフック部との間に積み重ねられてストックされた折帖を下から入紙掛機械へ供給するフィーダーに使用する治具において、フィーダーのテーブルに載置されてフック部に向けて下向きに傾斜するテーブル面を形成するテーブル部材と、折帖の両側部の製本後に裁断される被裁断部分をテーブル面よりも高い位置に持ち上げる突起とを備えるようにしている。
【００１６】
このフィーダー治具によると、既存のフィーダーのテーブル上に載置するだけで、傾斜するテーブル面と、折帖の両側を持ち上げ支持する突起を備え、積み重ねた折帖の荷重の一部をこの突起で受け支えることにより、印刷面を保護した状態で最下層の折帖を引き出すことができる。また、テーブルを傾斜させることにより最下層の折帖を引き出しやすくし、折帖のテーブル前端縁での曲率を小さくしてテーブル前端縁との接触による折帖の汚れをより少なくできる。
【００１７】
【発明の実施の形態】
以下、本発明の構成を図面に示す実施の形態の一例に基づいて詳細に説明する。
【００１８】
図１〜図６に、本発明を適用したフィーダーの一実施形態を示す。このフィーダー１は、折帖２の大半を支えるテーブル４と該テーブル４から突出した折帖２の先端縁を僅かに引っ掛け下方に引っ張り力を受けたときに取り出し可能に支持するフック部１１と、テーブル４から突出した折帖２の先端部分を吸着して下方へ引き出す吸着部材１０とを備え、テーブル４とフック部１１との間に積み重ねられてストックされた折帖２を下から取り出し入紙掛機械のドラム１４へ供給する。ここで、テーブル４は、フック部１１に向けて下向きに傾斜し、その上に積まれる折帖２の両側部の製本後に裁断される被裁断部分２ａを持ち上げる突起５を有している。この突起５は、フィーダー１のテーブル４上に積み重ねた折帖２のうち最下層の折帖２の両側縁の一部をテーブル４の上面よりも高い位置で下面側から持ち上げ支持するもので、図１に示すように、フィーダー１のテーブル４の両サイドに設けられている。フック部１１は、積み重ねられた折帖２の先端縁下側を引っ掛けて支持する支持ピン８および支持爪９から構成されている。
【００１９】
フィーダー１は、図１に示すように平板状のテーブル４を備え、このテーブル４の上に折帖２を積み重ねて最下層側から１部ずつ送り出す折帖２の収納・供給装置である。図３に示すように、フィーダー１は、折帖２の縦あるいは横の縁に接する壁面等であり積み重ねた折帖２の周囲を囲むガイド７を備えている。これらガイド７は、折帖２の先端縁を下から支える支持ピン８を有している。支持ピン８は例えば小型の先細り形状の突起で、折帖２の全体を下から支持するが、折帖２を１部ずつ引き出す際は引き出し動作を妨げない。また、水平な支持軸１６を中心に回動可能な支持爪９が折帖２の先端縁中央を下側から支持する。さらに、フィーダー１は、折帖２を１部ずつ引き出し可能とする手段として、折帖２の裏面に吸着しながら図４に示すように水平な回動軸１５を中心に回動して折帖２を１部ずつ引き下げて引き出し可能な状態とする吸着部材１０を有する。なお、フィーダー１の下側に設けられた図示しない入紙掛機械は、折帖２の端部を把持した状態で回転ドラム１４とともに回転し折帖２を１部ずつ引き出す図示しない押え爪を備えている。
【００２０】
突起５は、例えば図１に示すようにテーブル面から突出した円柱形状の部材で、積み重ねた折帖２の両側の製本後に裁断される被裁断部分２ａの一部を下側から支持するようにフィーダー１内に左右対称配置している。例えば、被裁断部分２ａが図２において一点鎖線よりも外側の部分として示される場合、突起５はこの一点鎖線よりも外側に配置される。したがって、突起５が支持するのは常に折帖２の被裁断部分２ａだけである。
【００２１】
ここで、突起５は、図２に示すように突起５の周辺において折帖２が浮いた状態でこの折帖２を支持する。このため、折帖２とテーブル４との接触領域が減り、テーブル４が受け持つ荷重が少なくなる。
【００２２】
さらに突起５は、折帖２の両側部を押し上げて折帖２の全体を撓ませ、折帖２の中央部を浮かせて印刷面にかかる荷重を軽くするように作用する。このため、最下層の折帖２とその上の下から２枚目の折帖２との間では、図２に太線で示すように隙間が空くか、あるいは隙間が空かなくても互いの接触圧が印刷面が汚れない程度に小さくなる。したがって、最下層の折帖２を引き出しても印刷面に汚れが生じない。一方、折帖２の両側では突起５による支持圧力が大きく、摩擦が大きくなるので汚れが生じ得るが、突起５によって支えるのは製本後に裁断される被裁断部分２ａであるため汚れても構わない。このため、被裁断部分２ａ以外の印刷面を保護した状態で最下層の折帖２を引き出すことが可能となる。
【００２３】
なお、本実施形態では突起５の一形態として図１のような円柱形のものを挙げたが突起５の高さあるいは形状は特に限定されることはなく、上述のように折帖２の一部を両端で支持し、印刷面における接触摩擦を印刷が汚れない程度に軽減し得るものであればよい。したがって、テーブル４からの突起５の高さをさらに高くしても構わないし、突起５の上端面を平坦面でなく凸状曲面に形成しても構わない。また、突起５の周面を斜めに形成すればエッジがなくなり抵抗を少なくできるし、突起５を先細り形状とすれば折帖２との接触面積を少なくできる。
【００２４】
また、上述の突起５は、折帖２の全体幅、裁断幅などに応じて幅方向へ適宜移動できることが好ましい。本実施形態では、図１〜図３に示すようにテーブル４の両サイドに長孔６を設け、この長孔６のストローク範囲内で突起５を折帖２の幅方向へ自在に移動できるようにしている。ここでは、図示するようにちょうナット１２をテーブル４の裏面から嵌め合わすことによって突起５を固定するが、固定手段はボルト・ナットに限定されない。
【００２５】
ここで、テーブル４について説明すると、本実施形態では、図４に示すようにこのテーブル４を折帖２の供給方向に向けて傾斜させている。この場合、折帖２の鉛直方向の荷重はテーブル面に沿った方向とテーブル面に垂直な方向とに分解可能となり、テーブル面に垂直な方向の分力が小さくなることに加えテーブル面に沿った分力が生じる。したがって、テーブル４が傾斜していない場合に比べて最下層の折帖２が引き出しやすくなり、引き出し時の汚れが少なくなる。
【００２６】
しかも、テーブル４の傾斜に伴い、ストックされている折帖２も前方に傾く。これにより、折帖２のストック時の傾きと引き出し時の傾きの差が小さくなるので、引き出される折帖２のテーブル４の前端縁での折り曲げ角が小さくなる。このため、テーブル４の前端縁と接触することによる折帖２の汚れがより少なくなる。
【００２７】
さらに、テーブル４の前端縁には図１、図４に示すようにコーナ部４ａを設けることが好ましい。コーナ部４ａは、テーブル面とフック部１１とを結ぶ面よりも下に湾曲させたもので、例えば下方側へ順次曲折して続く複数の平面、より好ましくは下方側へ滑らかに湾曲した曲面で形成する。このコーナ部４ａは、テーブル４の前端縁における折帖２の曲率を小さくして折り曲げ角を緩やかとし、線接触状態を改めて接触圧を分散させる。さらに、コーナ部４ａは、前端縁におけるテーブル４と折帖２の印刷面との接触領域を広くしてさらに接触圧を分散させる。したがって、折帖２の引き出し抵抗を少なくして滑りをなめらかにし、印刷面の汚れをさらに少なくすることができる。
【００２８】
ここで、コーナ部４ａは、図４に示すように吸着部材１０の回動軸１５のほぼ直上に配置しても構わないが、図５に示すように回動軸１５より後方に設けたものがより好ましい。このようにコーナ部４ａを後方配置した場合、吸着部材１０によって引き下げられた折帖２の曲がり始まる部分が後方にシフトするので、折帖２の湾曲し得る部分が増えて曲率が小さくなる。したがって、腰が強く曲がりにくい折帖２を供給するような場合であっても、折帖２を吸着部材１０で吸着した状態を維持し引き下げることができる。
【００２９】
また、テーブル４は、引き出される折帖２から下向きに力を受けたとき、中央が下向きに凸となるよう撓み得るものであってもよい。これにより、引き出される最下層の折帖２とその上の折帖２との間に隙間を形成し、または隙間を形成しなくても摩擦を軽減して印刷面の汚れをさらに軽減させることができる。例えば、図６に示すようにテーブル４の前端縁の両側に設けた下方を向く突部４ｂは、テーブル４の中央部が下方へ撓むのを許容する。なお、テーブル４の前端縁にコーナ部４ａを設けている場合、コーナ部４ａの一部を適宜切り欠いて突部４ｂを形成すればテーブル４を更に撓みやすくできる。
【００３０】
さらに本実施形態では、テーブル４の後端側に図に示すような矩形の切り欠き１８を設け、例えばＢ５サイズのような小さい折帖２をテーブル４に載置する際に衝立を設置することを可能としてサイズ変更の便宜を図っている。また、テーブル４の両側に設けた先端側を向く溝１９は、テーブル４から突出するガード枠を差し込むことによってフィーダー１が前方へ移動するのを防いで脱落を防止する。
【００３１】
以上の構成のフィーダー１は、以下のようにして折帖２を１部ずつ供給する。
【００３２】
まず、突起５を備えたテーブル４に折帖２を積み重ねる。このとき、テーブル４の前端縁からはみ出した折帖２の先端側荷重は図１および図３に示すように支持ピン８と支持爪９から成るフック部１１が支持している。
【００３３】
ここで、吸着部材１０が図４に示すように最下層の折帖２の裏面に吸着したまま下方に回動し、折帖２の先端側を引き下げる。このとき、支持爪９は図４に示すように一時的に退避して折帖２の引き下げを妨げない。一方、固定された支持ピン８は退避しないが、折帖２は紙片を折り曲げるようにしてこの支持ピン８を擦り抜ける。吸着部材１０によって折帖２を１部引き下げた後、支持爪９は元の位置に復帰して再び積み重なった折帖２を下から支持する。
【００３４】
次に、図示しない押え爪が、吸着部材１０によって引き下げられた折帖２の先端縁を把持してテーブル４から引き出す。折帖２は、先端縁を把持されたまま回転ドラム１４の周面に載って搬送される。
【００３５】
以上の説明から明らかなように、本実施形態のフィーダー１によると、テーブル面から突出した突起５によって積み重なった折帖２の両側を支持するため、折帖２の印刷面にかかる荷重を少なくし、印刷面どうしの擦れ合いによる汚れを防止することができる。しかも、突起５が折帖２に接触するのは製本後に裁断される被裁断部分２ａのみであるため、たとえ印刷面に汚れが生じたとしても製本時に裁断されるため何ら影響がない。
【００３６】
また、印刷面間における接触力の大きさを少なくできるので、従来よりも多くの折帖２を積み重ねることが可能となる。これにより、製本作業において折帖２を補充する頻度が減るので、製本作業の能率向上に寄与する。
【００３７】
なお、上述の実施形態は本発明の好適な実施の一例ではあるがこれに限定されるものではなく本発明の要旨を逸脱しない範囲において種々変形実施可能である。例えば、傾斜するテーブル面を形成するテーブル部材（例えばテーブル４）と突起５を備える治具３を用意し、これを既存のフィーダーの水平のテーブル１３の上に載置することによって本発明のフィーダー１を実現するようにしても良い。この場合のテーブル部材は、両側端に水平のテーブル１３上に起立する脚部１７を有し、水平テーブル１３に載置するだけで所定の傾斜をテーブル面に与えることができる。また、この場合のコーナ部４ａはテーブル４の前端を水平テーブル１３から所定高さに維持する支持材としても機能し得る。
【００３８】
また、本実施形態では、突起５をテーブル４の両側に１個ずつ計２個を対称位置に設けたフィーダー１について説明したが、突起５は必ずしも２個１組である必要はなくこれより多く設けてもよいし、常に対称配置しなくても本実施形態と同様に印刷面の汚れを少なくする作用効果を得ることが可能である。
【００３９】
また、突起５に変位を与える長孔６は、常に直線形状の溝でなくても構わない。例えば、円弧形状やクランク形状の溝であっても、突起５の移動に伴い折帖２の幅方向への変位を与え得るものであれば種々の大きさ・形状の折帖２に対し適宜対応することが可能となる。
【００４０】
また、突起５は、図４に示すようにテーブル４のコーナ部４ａよりも後端側に配置されていても構わないが、好ましくは図５に示すようにテーブル４のコーナ部４ａよりも先端側に突出させることである。この場合、突起５によって折帖２の両側をコーナ部４ａのさらに先端側まで持ち上げ支持しながら送り込むことができるので、折帖２の印刷面の汚れをより効果的に防止することが可能となる。このように突起５をコーナ部４ａから突出させるには、図５のように突起５を折帖２の送り出し方向へ延長形成してもよいし、突起５がコーナ部４ａから突出するように長孔６をコーナ部４ａに配置するようにしてもよい。また、図６に示すように突起５をＬ形に形成し、内側に折り曲げた先端側部分で折帖２の両側を支持するようにすれば、長孔６の位置はそのままに突起５の支持部分を先端側に配置できる。
【００４１】
【発明の効果】
以上の説明より明らかなように、請求項１記載のフィーダーによると、テーブル面から突出した突起によって積み重なった折帖の両側の一部を支持するため、折帖の印刷面にかかる荷重を少なくし、印刷面どうしの擦れ合いによる汚れを防止することができる。しかも、突起が折帖に接触するのは製本後に裁断される被裁断部分のみであるため、たとえこの部分で印刷面に汚れが生じたとしても製本後において何ら影響がない。
【００４２】
また、折帖どうしの印刷面間における接触力を小さくできるので、従来よりも多くの折帖を積み重ねることが可能となる。これにより、製本作業において折帖を補充する頻度が減るので、製本作業の能率を向上させることも可能となる。
【００４３】
加えて、折帖の供給方向へ向けテーブルを傾斜させたことから、傾斜していない場合に比べて最下層の折帖が引き出しやすくなり、引き出し時の汚れがより少なくなる。しかも、テーブルの傾斜に伴い、ストックされている折帖の傾きと引き出し時の折帖の傾きの差が小さくなるので、引き出される折帖のテーブル前端縁での曲率が小さくなる。このため、テーブル前端縁との接触による折帖の汚れがより少なくなる。
【００４４】
さらに、請求項２記載のフィーダーによると、テーブル面とフック部とを結ぶ面よりも下に湾曲したコーナ部を有するので、折帖をコーナ部に沿わせてテーブル前端縁における折帖の曲率を更に小さくし、折り曲げ角を緩やかとして接触圧を分散させることができる。また、前端縁における折帖印刷面との接触領域が広くなるので、さらに接触圧が分散される。したがって、折帖の引き出し抵抗を少なくして滑りをなめらかにし、印刷面の汚れをさらに少なくすることが可能となる。
【００４５】
また、請求項３記載のフィーダーによると、コーナ部を吸着部材の回動軸より後方に設け、吸着部材によって引き下げられた折帖の曲がり始まる部分が基端側にシフトするようにしたので、折帖の湾曲し得る部分が増えて曲率が小さくできる。したがって、腰が強く曲がりにくい折帖を供給するような場合であっても、このような折帖を吸着部材で吸着した状態を維持し引き下げることができる。
【００４６】
さらに、請求項４記載のフィーダーによると、突起をコーナ部よりも先端側に突出させたことから、突起によって折帖の両側をコーナ部のさらに先端側まで持ち上げ支持し、折帖の印刷面の汚れをより効果的に防止することが可能となる。
【００４７】
また、請求項５記載のフィーダーによると、テーブルは、前端縁の両側に下方を向く突部を備えているので、引き出される折帖から下向きに力を受けて中央が下向きに凸となるように撓むことが可能である。したがって、引き出される最下層の折帖の印刷面の汚れをさらに軽減させることができる。
【００４８】
さらに、請求項６記載のフィーダー治具によると、折帖の両側を持ち上げ支持する突起を備え、積み重ねた折帖の荷重の一部をこの突起で受け支えることから、印刷面を保護した状態で最下層の折帖を引き出すことができる。また、テーブルを傾斜させたことにより最下層の折帖を引き出しやすくし、折帖のテーブル前端縁での曲率を小さくしてテーブル前端縁との接触による折帖の汚れをより少なくできる。
【図面の簡単な説明】
【図１】本発明を適用した一実施形態を示すフィーダーの斜視図である。
【図２】図４のII-II線におけるフィーダーの断面図である。
【図３】フィーダーの平面図である。
【図４】フィーダーの側面図である。
【図５】突起およびコーナ部の形態を変えたフィーダーを示す側面図である。
【図６】テーブルおよび突起の別の形態を示す斜視図である。
【図７】従来の製本装置の構成例を示す概略図である。
【図８】従来の製本装置におけるフィーダーおよび入紙掛機械を中心に示す概略側面図である。
【符号の説明】
１  フィーダー
２  折帖
２ａ  被裁断部分
３  フィーダー治具
４  テーブル
４ａ  コーナ部
４ｂ  突部
５  突起
１０  吸着部材
１１  フック部
１５  回動軸
【図１】
0004384794.tif 000002
【図２】
0004384794.tif 000003
【図３】
0004384794.tif 000004
【図４】
0004384794.tif 000005
【図５】
0004384794.tif 000006
【図６】
0004384794.tif 000007
【図７】
0004384794.tif 000008
【図８】
0004384794.tif 000009